(57)【要約】【課題】ヘアードライヤーに代表される整髪具において、より効果的にマイナスイオンを人体顔面の周りに供給することができ、従って人体顔面の周りに拡散するマイナスイオンの分布密度を高めて、リラクゼーション効果等の向上を図る。【解決手段】整髪作業時に人体顔面の近くに位置することとなるグリップ部２に、人体顔面に向けてマイナスイオンを散布するための専用のイオン発生器１６とイオン放出口２９とを設けて、該放出口２９から人体顔面に向けて直接的にマイナスイオンを散布する。これにより、マイナスイオンを人体顔面に対して分布密度の高い状態で効果的に供給することができるので、良好なリラクゼーション効果を得ることができる。【選択図】        図１
2004166932.tif 000002
【特許請求の範囲】
【請求項１】
整髪用機能部を有する本体ケース１と、該本体ケース１の後端部に連設されて掌で握り持つためのグリップ部２とからなる整髪具であって、
マイナスイオンを放出・散布する、イオン散布用のイオン放出口２９が、グリップ部２、若しくはグリップ部２の近傍における本体ケース１に設けられていることを特徴とする整髪具。
【請求項２】
整髪具を動かすことによって生じる対流または／およびイオン風により、マイナスイオンをイオン放出口２９から放出できる請求項１記載の整髪具。
【請求項３】
本体ケース１内には、送風ファン１１が組み込まれており、
送風ファン１１によって生起された加圧空気の一部が、導風管５２を介してイオン発生器の収納部２６に導かれるようにしてあり、
収納部２６内に導かれた加圧空気により、マイナスイオンをイオン放出口２９から放出する請求項１記載の整髪具。
【請求項４】
イオン散布用のイオン発生器１６が、グリップ部２に設けられている請求項１または２または３記載の整髪具。
【請求項５】
イオン発生器１６の収納部２６が、グリップ部２のケース外面から膨出状に形成されている請求項１ないし４のいずれかに記載の整髪具。
【請求項６】
本体ケース１内には、送風ファン１１が組み込まれており、
収納部２６の膨出寸法を、グリップ部２の下端と、本体ケース１の最大径部に係るケース外面とで規定される接線Ｌよりもグリップ部２寄りに設定してある請求項５記載の整髪具。
【請求項７】
本体ケース１内には、送風ファン１１が組み込まれており、
イオン放出口２９が、送風ファン１１によって生起されて、本体ケース１から吹き出される風の吹出方向と同じ方向に開口している請求項１ないし６のいずれかに記載の整髪具。
【請求項８】
グリップ部２は、本体ケース１に設けられた軸４を中心に、本体ケース１の後端から下方向に伸びる使用姿勢と、本体ケース１に沿う不使用姿勢との間で変位可能に連結されており、
不使用姿勢において、イオン放出口２９は、その開口方向が上下方向に指向した姿勢となって、対向する本体ケース１またはグリップ部２の底面から見た外郭線内に位置するようにしてある請求項１ないし７のいずれかに記載の整髪具。
【請求項９】
グリップ部２が、本体ケース１から下方向に連設されており、
イオン放出口２９が、本体ケース１とグリップ部２との連設部の近傍に設けられている請求項１ないし８のいずれかに記載の整髪具。
【請求項１０】
グリップ部２のケース外面に、往復スライドして電源スイッチをオンオフいずれかに切り換える電源スイッチノブ５が、スライド移動可能に配設されており、
電源スイッチノブ５の内面に臨んでイオン放出口２９が開口されており、
電源スイッチノブ５をオフ方向にスライド移動させた状態において、イオン放出口２９が電源スイッチノブ５でカバーされ、スイッチノブ５をオン方向にスライド移動させたときに、放出口２９がグリップ部２のケース外面に現出するようにしてある請求項１ないし９のいずれかに記載の整髪具。
【請求項１１】
本体ケース１内には、送風ファン１１が組み込まれており、
送風ファン１１から本体ケース１の吹出口に至る主送風路１７の中間部に、吹出口からマイナスイオンを吹き出すためのイオン発生器１５が設けられており、
グリップ部２、若しくはグリップ部２の近傍における本体ケース１に、イオン散布用のイオン発生器１６が設けられている請求項１ないし１０のいずれかに記載の整髪具。
【発明の詳細な説明】
【０００１】
【発明の属する技術分野】
本発明は、ヘアードライヤーに代表される整髪具に関する。
【０００２】
【従来の技術】
ヘアードライヤーにおいて、本体ケースの内部にイオン発生装置を付加することは公知である（特許文献１参照）。髪用ブラシにおいて、ブラシ本体の内部にオゾンまたはイオン発生装置を付加したものもある（例えば特許文献２および特許文献３参照）。くせのある毛髪を真直ぐに伸ばし、あるいは直毛を縮れ変形させる際に使用する、一対の挟み腕を備えた髪処理装置において、片方の挟み腕の内部にマイナスイオン発生装置を組み込んだものもある（特許文献４参照）。
【０００３】
【特許文献１】
実公昭５８−１６３２３号公報（２−３頁、第１図）
【特許文献２】
実開平３−７４８１９号公報（６頁、第１図）
【特許文献３】
特開昭６０−１６０９０４号公報（２頁、第２図）
【特許文献４】
特開平８−８０２１５号公報（段落番号００２０、図６）
【０００４】
【発明が解決しようとする課題】
これら整髪具によれば、イオン発生装置を備えているので、整髪時や髪処理時にイオン発生装置で生成したマイナスイオンを髪や頭皮に効果的に作用させることができる。より詳しくは、マイナスイオンを毛髪に吹き付けると、プラスに帯電していることが多い毛髪を電気的に中和でき、さらに毛髪の内部深くまで水分が浸透し、その水分率を高めて毛髪の状態を好適化できる。つまり、マイナスイオンによるヘアートリートメント効果が得られる。
【０００５】
ところでマイナスイオンには、先のヘアートリートメント効果の他に、人体肌の水分吸収を助けてその水分率を高める肌湿潤効果や、鼻や口から吸われることにより興奮物質の血中濃度を低下させるリラクゼーション効果などの各種効能があることが知られている。これら効能も、前述のようなイオン発生装置を内蔵した整髪具を使用した際にある程度は発揮される。つまり、例えばヘアードライヤーの吹出口から吹き出された空気流の一部が、毛髪へ届かず人体顔面などの周辺へ拡散すると、かかる空気流に含まれるマイナスイオンが人体顔面に接触して、肌湿潤効果が得られる。鼻や口の周りにマイナスイオンが拡散されるため、マイナスイオンを体内に取り込むことによるリラクゼーション効果も得られる。しかし、これら効能は、たまたま人体顔面近くに到達したマイナスイオンにより、偶発的に得られるものであって、その程度は極めて小さい。
【０００６】
本発明の目的は、より効果的にマイナスイオンを人体顔面の周りに供給することができ、従って人体顔面の周りに拡散するマイナスイオンの分布密度を高めて、肌湿潤効果やリラクゼーション効果等の向上を図ることができる、ヘアードライヤーに代表される整髪具を提供することにある。本発明の目的は、イオン発生装置を追加装備したにもかかわらず、それに伴う使用者が感じる重量感の増加を最小限に抑えることができる、使い勝手に優れた整髪具を提供することにある。本発明の目的は、イオン放出口の配置位置に工夫を凝らすことにより、落下衝撃等によるイオン放出口やイオン発生器の破損防止を図り、整髪具の耐久性の向上を図ることにある。本発明の目的は、イオン放出口からの塵埃の進入を防止して、該塵埃の進入に起因するイオン発生器の動作不良を確実に避けることができる整髪具を提供することにある。本発明の目的は、使用者が意識することなく、顔面付近にマイナスイオンを放出することができ、その点で肌湿潤効果やリラクゼーション効果の向上に寄与できる整髪具を提供することにある。
【０００７】
【課題を解決するための手段】
本発明の整髪具は、例えば図１に示すごとく、整髪用機能部を有する本体ケース１と、該本体ケース１の後端部に連設されて掌で握り持つためのグリップ部２とからなり、図４に示すごとく、マイナスイオンを放出・散布する、イオン散布用のイオン放出口２９が、図１に示すようにグリップ部２に、若しくは図１３や図１４に示すように、グリップ部２の近傍における本体ケース１に設けられていることを特徴とする（請求項１）。
【０００８】
本発明における整髪具とは、図１ないし図１２に示すヘアードライヤーに限られず、図１３に示すような整髪ブラシや、図１４に示すようなストレータ、および髪をくせ付けするワッフル等を含む概念である。すなわち、本発明における整髪用機能部とは、図１ないし図１２に示すヘアードライヤーにおいては、少なくともファンを含む乾燥手段を意味する。図１３に示す整髪ブラシにおいては、ブリッスル３３のようなブラッシング手段を意味する。図１４に示すストレータにおいては、くせ付け用のヒーターユニット４５・４６などのくせ付け手段を意味する。
【０００９】
図７に示すごとく、整髪具を動かすことによって生じる対流または／およびイオン風により、放出口２９から放出されたマイナスイオンが、人体顔面Ｆの周りに散布されるようにすることができる（請求項２）。
【００１０】
また、図１に示すごとく、本体ケース１内には、送風ファン１１が組み込まれており、送風ファン１１によって生起された加圧空気の一部が、導風管５２を介してイオン発生器の収納部２６に導かれるようにしてあり、収納部２６内に導かれた加圧空気により、マイナスイオンをイオン放出口２９から放出する形態としてもよい（請求項３）。ここに言う「導風管５２」とは、イオン発生器１６に風を案内する案内路的なものであれば、その構造・形状は任意である。すなわち、図９に示すように、イオン発生器１６が直接送風ファン１１で生起された風を受ける形態において、該イオン発生器１６に風を案内する案内壁６１なども含む概念である。
【００１１】
図１に示すように、マイナスイオンの放出口２９をグリップ部２に設けることが望ましく、さらにイオン発生器１６をグリップ部２に設けることが望ましい（請求項４）。
【００１２】
図２に示すごとく、イオン発生器１６の収納部２６を、グリップ部２のケース外面から膨出状に形成する（請求項５）。その場合には図３に示すごとく、収納部２６の膨出寸法を、グリップ部２の後端と、本体ケース１の最大径部に係るケース外面とで規定される接線Ｌよりもグリップ部２寄りに設定する（請求項６）。
【００１３】
本体ケース１内には、送風ファン１１を含む送風ユニット３を組み込む。イオン放出口２９を、送風ファン１１によって生起されて、本体ケース１から吹き出される風の吹出方向と同じ方向に開口する（請求項７）。なお、ここでいう「同じ方向」とは、方向が完全に一致する場合に限らず、若干の方向のズレや誤差を許す概念である。
【００１４】
図１に示すごとく、グリップ部２は、本体ケース１に設けられた軸４を中心に、本体ケース１の後端から下方向に伸びる使用姿勢と、本体ケース１に沿う不使用姿勢との間で変位可能に連結されていて、図５に示すように、グリップ部２を不使用姿勢にした状態における収納部２６が、底面から見た本体ケース１の外郭線内に位置するものとする（請求項８）。
【００１５】
図８に示すごとく、グリップ部２が、本体ケース１から下方向に連設されていて、イオン放出口２９が、本体ケース１とグリップ部２との連設部の近傍に設けることができる（請求項９）。
【００１６】
図７に示すごとく、グリップ部２のケース外面に、往復スライドして電源スイッチをオンオフいずれかに切り換える電源スイッチノブ５を、スライド移動可能に配設する。電源スイッチノブ５の内面に臨んでイオン放出口２９を開口する。電源スイッチノブ５をオフ方向にスライド移動させた状態においては、放出口２９は、電源スイッチノブ５でカバーされていて、電源スイッチノブ５をオン方向にスライド移動させたときに、放出口２９がグリップ部２のケース外面に現出するようにすることができる（請求項１０）。
【００１７】
図１、図１３、図１４に示すごとく、本体ケース１内に、送風ファン１１を組み込み、送風ファン１１から本体ケース１の吹出口に至る主送風路１７の中間部に、吹出口からマイナスイオンを吹き出すためのイオン発生器１５を設ける。さらに、グリップ部２、若しくはグリップ部２の近傍における本体ケース１に、イオン散布用のイオン発生器１６を設けることができる（請求項１１）。
【００１８】
【発明の作用効果】
本発明に係る整髪具では、図４に示すごとく、整髪作業時に人体顔面Ｆの近くに位置することとなるグリップ部２、ないしグリップ部２の近傍に、人体顔面Ｆに向けてマイナスイオンを散布するための専用のイオン放出口２９を設けて、該放出口２９から人体顔面に向けて直接的にマイナスイオンを散布するので、マイナスイオンを人体顔面Ｆに対して分布密度の高い状態で効果的に供給することができる。従って、良好な肌湿潤効果とリラクゼーション効果を得ることができる。
【００１９】
ヘアードライヤーを動かすことによって生じる対流や、イオン風の緩やかな流れにより、イオン発生器１６で生成されたマイナスイオンを人体顔面Ｆの周りに散布するので、空気流による圧迫が一切なく、使い心地に優れた整髪具を提供できる。
【００２０】
また、図１に示すごとく、本体ケース１内に送風ファン１１を組み込み、該送風ファン１１によって生起された加圧空気の一部が、導風管５２を通ってイオン発生器の収納部２６に導かれて、収納部２６内に導かれた加圧空気により、マイナスイオンをイオン放出口２９から放出する形態としてもよく、この場合においては、人体顔面Ｆに対して、より分布密度の高い状態でマイナスイオンを効果的に供給できるので、肌湿潤効果とリラクゼーション効果の向上を図ることができる。尤も、風速の大きな空気流が人体顔面Ｆに当ると、使用者が圧迫感や不快感を感じる不都合があるため、導風管５２を通って収納部２６内に導かれた加圧空気の風速・風量は、本体ケース１の吹出口から吹き出される風に比べて、極端に小さく設定する。
【００２１】
本体ケース１内に、イオン散布用のイオン発生器１６を組み込んだ場合には、当該イオン発生器１６の重量分だけ、本体ケース１を動かしたときに生じる回転モーメントが大きくなり、そうすると使用者の感じる重量感が増加して、整髪具の使い勝手が悪くなる。その点、図１に示すごとく、グリップ部２内にイオン発生器１６を組み込んであると、回転モーメントの上昇を最小限に抑えることができるので、使用者が感じる重量感の増加は僅かとなり、整髪作業を支障無く軽滑に行うことができる。
【００２２】
イオン発生器１６の収納部２６が、グリップ部２から左右方向に膨出状に形成されていると、グリップ部２の外面と収納部２６の外面との凹凸段差によって、整髪作業時にグリップ部２を握った手指が滑ることを防ぐことができる。つまり、滑り止め効果が期待できる。そのとき、図３に示すごとく、収納部２６の膨出寸法を、グリップ部２の後端と、本体ケース１の大径部に係るケース外面とで規定される接線Ｌよりもグリップ部２寄りに設定してあると、整髪具を床面に落とした場合でも、収納部２６は床面に先当りせず、落下衝撃による外力を直接的に受け難い。従って、イオン発生器１６やイオン放出口２９が破損するのを防いで、整髪具の耐久性を向上できる。
【００２３】
図１に示すごとく、イオン放出口２９が、送風ファン１１によって生起されて、本体ケース１から吹き出される風の吹出方向と同じ方向に開口していると、例えばヘアードライヤーにおいては、イオン放出口２９からのマイナスイオンの放出方向と熱風の吹出方向とが一致するので、ヘアードライヤーの使用時に、使用者が意識することなく、顔面Ｆ付近にマイナスイオンを放出することができ、その点で肌湿潤効果やリラクゼーション効果の向上に寄与できる。これは、図１３に示す整髪ブラシにおいても同様である。
【００２４】
図５に示すごとく、グリップ部２を本体ケース１に沿うように折り畳んだ不使用姿勢にした状態において、イオン放出口２９が、その開口方向が上方向に指向した姿勢となって、対向する本体ケース１の外郭線内に位置するようにしてあると、不使用時におけるイオン放出口２９を本体ケース１で保護できるので、塵埃がイオン放出口２９を介してグリップ部２に侵入することをよく防止できる。同様に、図１０に示すごとく、イオン放出口２９が、その開口方向が下方向に指向していて、グリップ部２を不使用姿勢とした状態において、該ブリップ部２の外郭線内に位置するようにしてあると、不使用時においてイオン放出口２９をグリップ部２で保護できるので、塵埃がイオン放出口２９を介してグリップ部２に侵入することをよく防止できる。以上より、塵埃の侵入によるイオン発生器１６の動作不良、例えば、電極どうしが短絡するのを避けられる。
【００２５】
グリップ部２が、本体ケース１から下方向に連設されていて、図８に示すごとく、イオン放出口２９が、本体ケース１とグリップ部２との連設部の近傍に設けられていると、落下時等において放出口２９が本体ケース１やグリップ部２よりも先当りすることは極めて稀となる。従って、落下や衝撃により整髪具に大きな衝撃が加わるような場合でも、イオン放出口２９が破損するのを防止でき、この点でも整髪具の耐久性の向上に寄与できる。
【００２６】
図７に示すごとく、電源スイッチノブ５をオフ状態から、オン方向にスライド操作を行ったときにのみ、イオン放出口２９が外面に現出するようにしてあると、不使用時においてはイオン放出口２９を電源スイッチノブ５でカバーできるので、塵埃がイオン放出口２９を介してグリップ部２内に侵入することをよく防止できる。従って、塵埃の侵入によるイオン発生器１６の動作不良、例えば電極どうしが短絡するのを避けられる。
【００２７】
図１、図１３、図１４に示すごとく、送風ファン１１から本体ケース１の吹出口に至る主送風路の中間部に、吹出口からマイナスイオンを吹き出すためのイオン発生器１５が設けられており、グリップ部２、若しくはグリップ部２の近傍における本体ケース１に、イオン散布用のイオン発生器１６が設けられていると、毛髪と人体顔面Ｆの両方にマイナスイオンを分布密度の高い状態で効果的に送給できるので、イオン発生器１５で生成されるマイナスイオンに由来するヘアートリートメント効果と、イオン発生器１６で生成されるマイナスイオンに由来する肌湿潤効果およびリラクゼーション効果とが同時に良好に得られる利点がある。
【００２８】
【発明の実施の形態】
（第１実施例）  図１ないし図６に、本発明に係る髪処理装置をヘアードライヤーに適用した第１実施例を示す。図１においてヘアードライヤーは、横長筒状の本体ケース１と、その後端部に連設されて掌で握り持つためのグリップ部２とを基体にして、これらの内部に送風ユニット３や制御用の電気部品等を収容してなる。グリップ部２は、本体ケース１の後端下部に設けられた軸４を中心に、本体ケース１から下方向に伸びる使用姿勢と、想像線で示す本体ケース１に沿う不使用姿勢との間で変位可能に連結される。グリップ部２の前面には、風量制御とヒータースイッチとイオンスイッチとを兼ねる電源スイッチノブ５が設けられている。グリップ部２の内部には、電源スイッチノブ５で切り換え操作されるスイッチ５ａが収容してある。
【００２９】
本体ケース１の先端側には、送風ユニット３のファン１１で生起した空気流を流動案内する風導体１Ａが装着されている。符号６は、風導体１Ａの吹出口９に着脱自在に装着されたノズルを、符号１７は、ファン１１からノズル６の先端部、すなわちファン１１から本体ケース１の吹出口に至る主送風路を示す。ノズル６は、先窄まり円筒状（先広がりでもよい）のノズル本体７と、ノズル本体７の内面に装着される内筒８とからなる。送風ユニット３は、モーター１０およびファン１１と、十文字状に組まれた絶縁枠に螺旋状に巻き付けられるヒーター１２などで構成する。ファン１１は一方向へ回転駆動されて、本体ケース１の後端の吸引口１３から吸い込んだ空気を加圧して、風導体１Ａの吹出口９から吹き出す。このとき、ヒーター１１を通電していれば、温風が吹き出る。
【００３０】
本体ケース１の風導体１Ａの内部には、吹出口９からマイナスイオンを吹き出すためのイオン発生器１５が組み込まれている。つまり、主送風路１７の中間部に、吹出口からマイナスイオンを吹き出すためのイオン発生器１５を設けてある。これとは別に、図４に示すごとく人体顔面Ｆに向けてマイナスイオンを放出・散布するためのイオン散布用のイオン発生器１６が、グリップ部２の上部に配設されている。これらイオン発生器１５・１６はそれぞれ、図６に示すごとく、電極ホルダー１８と、電極ホルダー１８の中央部に固定される針状電極１９と、針状電極１９の周りを囲む周囲電極２０と、針状電極１９と周囲電極２０との間を区分する絶縁筒２１とで構成されている。
【００３１】
これらイオン発生器１５・１６を駆動する電気回路としては、整流回路およびパルス発生回路が実装された回路基板２３と、昇圧用のトランス２４などからなる。そして、商用電源（１００Ｖ）からの電流を整流回路で整流したうえで、パルス発生回路で高圧のパルスに変換する。ついでこのパルスをトランス２４で昇圧して、例えば４ｋＶに昇圧した高電圧を針状電極１９に印加し、同針状電極１９から周囲電極２０に向けて電子を放出させる。これによって、両電極の周辺の空気中の酸素分子が水分と結合しマイナスイオン化され、吹出口９や後述するイオン放出口２９から放出される。吹出口９から放出されるマイナスイオンは、毛髪の内部深くまで浸透して水分を補給でき、従って髪の水分率を高めることができる。なお、図６において、符号２５はイオン発生器１５・１６を連結するアースラインを、符号６０は、負の電圧を得るために接続されたマイナスイオン発生用ダイオードを示す。回路基板２３とトランス２４は、図１に示すごとく、ヒーター１２用の絶縁枠を切り欠いて形成した空間に配置されている。
【００３２】
図６に示すごとく、ひとつのトランス２４から２つのイオン発生器１５・１６に高電圧を印加するものとしてあると、イオン発生器１５・１６毎にトランス２４等の電気回路を組み込む形態と比べて、部品点数を削減できるので、ドライヤー全体の製造コストの削減化に寄与する。なお、このスイッチ５ａのモードは、オフ・オンの２段階だけでなく、オフ、送風、オンの３段階とすることができる。かかる送風モードにおいては、モーター１０と両イオン発生器１５・１６が駆動され、ヒーター１２はオフとされる。オンモードにおいては、モーター１０、イオン発生器１５・１６、ヒーター１２の全てが駆動される。
【００３３】
図２において、符号２６は、グリップ部２の右側面から右向外側に膨出状に形成した収納部であって、その内部にイオン散布用のイオン発生器１６が配置してある。収納部２６は、後方側に設けられてグリップ部２から伸びる部分球殻状の肩膨壁部２７と、該肩膨壁部２７から前方側に連続する円蓋状の主壁部２８とからなる。収納部２６の前面は開口しており、この開口をイオン散布用のイオン放出口２９とする。図１に示すように、収納部２６は、軸４の直下に配置されている。これは掌でグリップ部２を掴んだときに収納部２６が邪魔にならないように、また掌でイオン放出口２９を塞ぐことがないように配慮したことに拠る。
【００３４】
この実施例においては、送風ファン１１によって生起された加圧空気の一部を、導風管５２を介してイオン発生器１６の収納部２６に導き、該加圧空気でイオン発生器１６で生成されたマイナスイオンをイオン放出口２９から放出するようにしてある。詳しくは、ファン１１の下流の主送風路１７に、上流側（後方側）に開口するキャップ５１を装着し、該キャップ５１内に取り込まれた加圧空気が、導風管５２を通って収納部２６内に導かれるようにしてある。導風管５２は、フレキシブルな樹脂製チューブであり、一端側はキャップ５１に装着され、他端側はグリップ部２内を通って、収納部２６の側面に設けられた開口５３に装着されている。
【００３５】
図２に示すごとく、イオン発生器１６の電極ホルダー１８には、リング状のフランジ５４が張り出し形成されており、該フランジ５４に対応する収納部２６の主壁部２８に溝５５を刻設してある。そして、溝５５によりフランジ５４が係合捕捉されることで、収納部２６内でイオン発生器１６は揺動不能に固定されている。フランジ５４には、スリット５６を部分的に形成してあり、該スリット５６を通って、収納部２６内に送り込まれた加圧空気は、イオン放出口２９から放出される。
【００３６】
風速の大きな空気流が人体顔面Ｆに当ると、使用者が圧迫感や不快感を感じる不都合がある。そこで、導風管５２を通って収納部２６内に導かれる加圧空気の風速・風量は、本体ケース１の吹出口から吹き出される風に比べて、極端に小さく設定してある。具体的には、キャップ５１の開口面積や、導風管５２の内径寸法を大小に変化させるなどして、加圧空気の風速・風量を調整している。
【００３７】
図３において、符号Ｌはグリップ部２の下端部と、本体ケース１の最大径部に係るケース外面とで規定される接線を示しており、収納部２６の膨出寸法は、その外面が接線Ｌよりもグリップ部２寄りにあるように設定してある。これは、グリップ部２を折り畳まない不使用姿勢のままでヘアードライヤーを平坦面上に載置した際に、収納部２６が平坦面に非接触となることを意味する。さらに、図５に示すごとく、グリップ部２を軸４まわりに折り畳んだ不使用姿勢としたときに、イオン放出口２９は上方向に指向した姿勢となって、その全体が、底面から見た（平面視であってもよい）本体ケース１の外郭線内に位置するようにしてある。
【００３８】
ヘアードライヤーを使用して整髪作業等をする際には、スイッチノブ５をオン操作して、モーター１０と二つのイオン発生器１５・１６を稼動する。モーター１０の起動によってファン１１が回転駆動され、吸込口１３から吸い込んだ空気を加圧して送り出す。このとき、風導体１Ａのイオン通路１４の内部にはイオン発生器１５によって生成されたマイナスイオンが浮遊している。従って、生成されたイオンの全てはイオン通路１４を通過する空気流に運ばれて、空気流とともにノズル６の先端から放出されて髪や頭皮に付着し、これによって、ヘアートリートメント効果が発揮される。
【００３９】
一方、グリップ部２の収納部２６の放出口２９の近傍には、イオン散布用のイオン発生器１６によって生成されたマイナスイオンが浮遊している。従って、生成されたイオンは、導風管５２を介して収納部２６に送り込まれた加圧空気により、イオン放出口２９から放出されて、人体顔面Ｆの周りに散布される。マイナスイオンの一部は人体顔面Ｆに付着し、一部は鼻や口から人体内部に取り込まれる。人体顔面Ｆに付着したマイナスイオンは、肌の内部まで水分を浸透させ、その水分率を高めて肌の状態を好適化する。すなわち肌湿潤効果を発揮する。鼻や口から人体内部に取り込まれたマイナスイオンは、興奮物質の血中濃度を低下させて、リラクゼーション効果を発揮する。
【００４０】
以上のように、本実施例に係るヘアードライヤーによれば、図４に示すごとく、整髪作業時に人体顔面Ｆの近くに位置することとなるグリップ部２に、人体顔面Ｆに向けてマイナスイオンを散布するための専用のイオン放出口２９を設けて、該放出口２９から人体顔面に向けて直接的にマイナスイオンを散布するので、マイナスイオンを人体顔面Ｆに対して分布密度の高い状態で効果的に供給することができ、これにより良好な肌湿潤効果とリラクゼーション効果を得ることができる。
【００４１】
導風管５２を介してイオン発生器１６の収納部２６に導かれた加圧空気により、マイナスイオンをイオン放出口２９から放出する形態としてあるので、ヘアードライヤーを動かすことによって生じる対流作用や、イオン風の緩やかな流れにより、イオン発生器１６で生成されたイオンを人体顔面Ｆの周りに散布する形態と比べて、人体顔面Ｆに対して、より分布密度の高い状態でマイナスイオンを効果的に供給できる。従って、肌湿潤効果とリラクゼーション効果の向上を図ることができる。なお、繰り返すが、風速の大きな空気流が人体顔面Ｆに当ると、使用者が圧迫感や不快感を感じる不都合があるため、導風管５２を通って収納部２６内に導かれる加圧空気の風速・風量は、本体ケース１の吹出口から吹き出される風に比べて、極端に小さく設定してある。
【００４２】
本体ケース１内に、イオン散布用のイオン発生器１６を組み込んだ場合には、当該イオン発生器１６の重量分だけ、本体ケースを動かしたときに生じる回転モーメントが大きくなり、そうすると使用者の感じる重量感が増加して、ヘアードライヤーの使い勝手が悪くなる。その点、本実施例に係るヘアードライヤーのように、グリップ部２内にイオン発生器１６を組み込んであると、回転モーメントの上昇を最小限に抑えることができるので、使用者が感じる重量感の増加は僅かであり、整髪作業を支障無く軽滑に行うことができる。
【００４３】
イオン発生器１６の収納部２６が、グリップ部２から左右外方向に膨出状に形成されていると、グリップ部２と収納部２６の外面との凹凸段差によって、整髪作業時にグリップ部２を握った手指が滑ることを防ぐことができる。つまり、滑り止め効果が期待できる。収納部２６の前面にイオン放出口２９を開口すると、イオンの放出方向とヘアードライヤーからの加圧空気の吹出方向とが一致するので、ヘアードライヤーの使用時には、使用者が意識する必要もなく、顔面Ｆ付近にマイナスイオンを放出することができ、その点でも肌湿潤効果やリラクゼーション効果を向上できる。
【００４４】
図２に示すごとく、収納部２６の膨出寸法を、グリップ部２の後端と、本体ケース１の大径部に係るケース外面とで規定される接線Ｌよりもグリップ部２寄りに設定してあると、ヘアードライヤーを床面に落とした場合でも、収納部２６は床面に先当りせず、落下衝撃による外力を直接的に受け難い。従って、イオン発生器１６やイオン放出口２９が破損することを防いで、ヘアードライヤーの耐久性を向上できる。
【００４５】
図５に示すごとく、グリップ部２を本体ケース１に沿うように折り畳んだ不使用姿勢にした状態において、イオン放出口２９が、その開口方向が上方向に指向した姿勢となって、底面からみて本体ケース１の外郭線内に位置するようにしてあると、不使用時におけるイオン放出口２９を本体ケース１でカバーして、塵埃がイオン放出口２９を介して収納部２６に侵入することをよく防止できる。これにより、塵埃の侵入によるイオン発生器１６の動作不良、例えば電極どうしが短絡するのを避けられる。また、細長い棒状物がイオン放出口２９から侵入し難いので、電極の変形を可及的に防止できる。針状電極１９が変形すると、電子が放出され難くなりマイナスイオンの発生量が低下することになる。
【００４６】
図５に示すごとく、グリップ部２を本体ケース１に沿うように折り畳んだ不使用姿勢において、収納部２６が、底面から見て本体ケース１の外郭線内に位置するようにしてあると、落下時等において、収納部２６が本体ケース１よりも先当りすることは極めて稀となる。以上より、落下や衝撃によりヘアードライヤーに大きな衝撃が加わるような場合でも、イオン発生器１６やイオン放出口２９が破損するのを防止でき、この点でもヘアードライヤーの耐久性の向上に寄与できる。
【００４７】
（第２実施例）  図７は、本発明の第２実施例を示す。なお、この第２実施例においては、先の第１実施例と大きく異なる点のみを説明し、同じ部材には同じ符号を付して、その説明を省略する。以下の実施例においても同様とする。図７のヘアードライヤーにおいては、イオン放出機能に係るイオン発生器１６を、グリップ部２の下端部、詳しくは、電源スイッチ５の下部内面に臨んで配置してあり、電源スイッチノブ５を想像線で示されるオフ状態から、上方向にスライド移動させるオン操作を行ったときにのみ、イオン放出口２９がグリップ部２のケース外面に現出するようにしてある。これによれば、不使用時においてはイオン放出口２９を電源スイッチノブ５でカバーできるので、塵埃がイオン放出口２９を介してグリップ部２内に進入することをよく防止できる。従って、塵埃の侵入によるイオン発生器１６の動作不良、例えば針状電極１９と周囲電極２０とが塵埃によって短絡するなどの動作不良を避けられる。
【００４８】
また、この第２実施例では、ヘアードライヤーを動かすことによって生じる対流作用や、イオン風の穏やかな流れにより、イオン発生器１６で生成されたマイナスイオンを人体顔面Ｆの周りに散布するようにしてある。これにより、空気流による圧迫感が一切生じる余地がなく、この点において、ヘアードライヤーは使い心地に優れたものとなる。
【００４９】
（第３実施例）  図８のヘアードライヤーにおいては、イオン散布用のイオン発生器１６を、本体ケース１に係るグリップ部２との連結部の近傍、より詳しくは軸４の前方向に隣接する位置に配設して、グリップ部２を軸４まわりに回転させて不使用姿勢としたときに、グリップ部２でイオン放出口２９をカバーできるようにした。これによっても先の第２実施例と同様の作用効果が得られる。すなわち、不使用時において塵埃がイオン放出口２９を介してグリップ部２内に侵入することをよく防止でき、従って、塵埃の侵入によるイオン発生器１６の動作不良が避けられる。
【００５０】
（第４実施例）  図９および図１０のヘアードライヤーにおいては、イオン放出用のイオン発生器１６を、グリップ部２の近傍における本体ケース１内に組み付けてあり、イオン放出口２９が下方向に向いて開口してある点が、先の第１実施例と異なる。この場合においても、下方向に散布されたマイナスイオンにより、人体顔面Ｆのまわりを高濃度のマイナスイオンで満たすことができるので、この点において、先の第１実施例と同様の作用・効果が得られる。
【００５１】
また、この実施例では、送風ファン１１によって生起された加圧空気の一部が、イオン発生器１６に対して送風方向の下流側に配置された案内壁６１に案内されて、イオン発生器１６の収納部２６に導かれ、そして、収納部２６に導かれた加圧空気により、イオン発生器１６で生成されたマイナスイオンをイオン放出口２９から放出するようにしてある。これによれば、ヘアードライヤーを動かすことによって生じる対流作用や、イオン風の緩やかな流れにより、イオン発生器１６で生成されたイオンを人体顔面Ｆの周りに散布する形態と比べて、人体顔面Ｆに対して、より分布密度の高い状態でマイナスイオンを効果的に供給できる。
【００５２】
また、このヘアードライヤーにおいては、イオン放出口２９はグリップ部２の中心軸上にあり、図１０に示すごとく、グリップ部２を不使用姿勢としたとき、イオン放出口２９が、底面から見て対向するグリップ部２の外郭線内に位置するようにしてある。これにより、不使用時におけるイオン放出口２９をグリップ部２で保護できるので、塵埃がイオン放出口２９を介してグリップ部２に侵入することをよく防止でき、従って、塵埃の侵入によるイオン発生器１６の動作不良、例えば、電極どうしが短絡するのを効果的に防止できる。
【００５３】
（第５実施例）  図１１および図１２のヘアードライヤーにおいては、イオン放出用のイオン発生器１６を、グリップ部２の近傍における本体ケース１から外方向に膨出状に形成された収納部１６内に組み付けてある点が、先の第４実施例と異なる。また、イオン放出口２９は、斜め下前方に指向している。この場合においても、下方向に散布されたマイナスイオンにより、人体顔面Ｆのまわりを高濃度のマイナスイオンで満たすことができるので、この点において、先の第１実施例と同様の作用・効果が得られる。
【００５４】
また、このヘアードライヤーにおいては、図１２に示すごとく、グリップ部２を不使用姿勢としたとき、イオン放出口２９が、対向するグリップ部２の外郭線内に半分程度覆われるようにしてある。これによっても、イオン放出口２９からの塵埃の侵入に起因する、動作不良の発生を抑えることができる。
【００５５】
（第６実施例）  図１３に、本発明の整髪具を、整髪ブラシに適用した実施例を示す。この整髪ブラシは、本体ケース３１と、一群のブリッスル３３を備えていて、本体ケース３１の前面上部に着脱可能に装着されるブラシユニット３２とからなる。
【００５６】
本体ケース３１の内部には、送風ユニット３等が組み込まれており、ブラシユニット３２の内部には、イオン発生器１５等が組み込まれている。送風ユニット３のファン１１で生起された加圧空気は、本体ケース３１内の主送風路１７を通って、本体ケース３１の前面のブリッスル３３の植設部分に設けられた不図示の吹出口から吹き出される。本体ケース３１の先端部の近傍に係る主送風路１７の中間部には、吹出口からマイナスイオンを吹き出すためのイオン発生器１５が設けられており、先の加圧空気とともに、イオン発生器１５により生成されたマイナスイオンは吹出口から吹き出される。
【００５７】
本体ケース３１の中央部分が、掌で掴むためのグリップ部２となっており、当該グリップ部２の後端部寄りに、イオン散布用のイオン発生器１６を組み込んである。イオン放出口２９は、グリップ部２の前面に開設されており、その開口周縁壁３５は、前方向に膨出状に形成されている。
【００５８】
以上のような構成からなる整髪ブラシによっても、先のヘアードライヤーの場合と同様の作用・効果が得られる。すなわち、整髪作業時に人体顔面Ｆの近くに位置することとなるグリップ部２にイオン放出口２９とイオン発生器１６を設けて、該イオン放出口２９から人体顔面Ｆに向けて直接的にマイナスイオンを散布するようにしてあるので、マイナスイオンを分布密度の高い状態で効果的に供給することができ、これにより良好な肌湿潤効果とリラクゼーション効果が得られる利点がある。
【００５９】
イオン発生部１６からのマイナスイオンの放出方向と、ブリッスルの植設部分からの加圧空気の吹出口の方向とが一致しているので、整髪ブラシの使用時には、使用者が意識する必要もなく、人体顔面Ｆ付近にマイナスイオンを放出することができ、その点でも肌湿潤効果やリラクゼーション効果の向上が期待できる。
【００６０】
加えて、この第６実施例では、整髪ブラシを動かすことによって生じる対流作用や、イオン風の穏やかな流れにより、イオン発生器１６で生成されたマイナスイオンを人体顔面Ｆの周りに散布するようにしてある。これにより、空気流による圧迫感を使用者が感じることが一切なく、この点において整髪ブラシは使い心地に優れたものとなる。
【００６１】
（第７実施例）  図１４に、本発明の整髪具を、ストレータに適用した実施例を示す。このストレータは、グリップ部４１Ａと処理部４１Ｂとを備えた挟持体４１を有する。
【００６２】
挟持体４１は、上下に対向配置した第１・第２の挟み腕４２・４３の基端どうしを揺動軸４４で連結してあり、両挟み腕４２・４３は、先端側が揺動軸４４まわりに揺動開閉できる。第２挟み腕４３は、図示していない圧縮コイルばねで開き勝手に付勢されていて、自由状態において想像線で示す開放姿勢に位置保持されている。この開放姿勢にある両挟み腕４２・４３のグリップ部４１Ａを片方の手で握ることによって、両挟み腕４２・４３の対向面にそれぞれ設けた上下のヒーターユニット４５・４６で髪を挟むことができる。従って、本発明の請求項で言うところのグリップ部２の概念は、本実施例のようなストレータのグリップ部４１Ａも含むものとする。
【００６３】
第１挟み腕４２は、羽子板状のケース体４８と、ケース体４８の内部に配置したファン１１およびその駆動用のモーター１０と、イオン発生器１５と、先のヒーターユニット４５などを備えている。第１挟み腕４２のグリップ部４１Ａの中央部位には、一側外面に左右方向へスライドして電源スイッチをオンオフいずれかに切り換える電源スイッチノブ５と、表示灯４９とが配されている。
【００６４】
ケース体４８は、上下に二分割された上下のケース４８ａ・４８ｂとを蓋合わせ状に結合してなり、上ケース４８ａのグリップ部４１Ａ側の上面の揺動軸４４寄りにイオン放出用のイオン放出口２９が開口しており、該放出口２９に臨むケース体４８の内部に、イオン発生器１６が組み込まれている。イオン放出口２９の開口周縁壁３５は、上方向に膨出状に形成されている。
【００６５】
以上のような構成からなるストレータによっても、先のヘアードライヤーの場合と同様の作用・効果が得られる。すなわち、整髪作業時に人体顔面Ｆの近くに位置することとなるグリップ部２にイオン放出口２９とイオン発生器１６を設けて、該イオン放出口２９から人体顔面Ｆに向けて直接的にマイナスイオンを散布するようにしてあるので、マイナスイオンを分布密度の高い状態で効果的に供給することができ、これにより良好な肌湿潤効果とリラクゼーション効果が得られる利点がある。
【００６６】
加えて、この第７実施例では、ストレータを動かすことによって生じる対流作用や、イオン風の穏やかな流れにより、イオン発生器１６で生成されたマイナスイオンを人体顔面Ｆの周りに散布するようにしてある。これにより、空気流による圧迫感を使用者が感じることが一切なく、この点においてストレータは使い心地に優れたものとなる。
【００６７】
上記実施例以外に、イオン発生器１６で生成されたマイナスイオンは、専用の送風ファンで人体顔面Ｆに向けて送給することができる。但しこの場合には、使用者が空気流による圧迫感を感じないよう、送風ファンの送風能力は、先の送風ユニット３のそれよりも小さなものに抑えて、穏やかな空気流を生じる程度とする。送風ユニット３からの空気流を分流し、圧迫感を感じない程度の穏やかな風で、マイナスイオンを人体顔面Ｆに向けて送給してもよい。また、上記実施例では、マイナスイオンのみを生成するよう回路を構成しているが、プラスイオンとマイナスイオンを同時に生成するものや、マイナスイオンをより大量に発生するような回路構成であってもよい。
【図面の簡単な説明】
【図１】ヘアードライヤーの一部破断側面図である。
【図２】図１のＡ−Ａ線断面図である。
【図３】ヘアードライヤーの正面図である。
【図４】ヘアードライヤーの使用状態を示す図である。
【図５】不使用時におけるヘアードライヤーを下方から見た底面図である。
【図６】イオン発生回路の概略を示す説明図である。
【図７】ヘアードライヤーの第２実施例を示す一部破断側面図である。
【図８】ヘアードライヤーの第３実施例を示す一部破断側面図である。
【図９】ヘアードライヤーの第４実施例を示す一部破断側面図である。
【図１０】不使用時におけるヘアードライヤーを下方から見た底面図である。
【図１１】ヘアードライヤーの第５実施例を示す側面図である。
【図１２】不使用時におけるヘアードライヤーを下方から見た底面図である。
【図１３】整髪ブラシの一部破断側面図である。
【図１４】ストレータの一部破断側面図である。
【符合の説明】
１  本体ケース
２  グリップ部
４  軸
５  スイッチノブ
１６  イオン発生器
１７  主送風路
２６  収納部
２９  マイナスイオンの放出口
５２  導風管
Ｆ  人体顔面
Ｌ  接線
【図１】
2004166932.tif 000003
【図２】
2004166932.tif 000004
【図３】
2004166932.tif 000005
【図４】
2004166932.tif 000006
【図５】
2004166932.tif 000007
【図６】
2004166932.tif 000008
【図７】
2004166932.tif 000009
【図８】
2004166932.tif 000010
【図９】
2004166932.tif 000011
【図１０】
2004166932.tif 000012
【図１１】
2004166932.tif 000013
【図１２】
2004166932.tif 000014
【図１３】
2004166932.tif 000015
【図１４】
2004166932.tif 000016